Podtech/llm-jp-corpus-v4-ja_patent huggingface dataset:
(57)【要約】      （修正有）【課題】夜釣りで魚やイカをタモ網で掬い取る際、ヘッドランプや照明器具が遠く非常に暗い為、掬い損ない逃がすことがある。掬う獲物の近くに照明を持ってくることで、照度を上げて掬い損ないを無くしたり、獲物の動きに合わせ照明エリアを広くしたり、照度や大きさが色々異なる懐中電灯や、手持品や安価な懐中電灯を、簡単確実に取り付けることが可能な治具を提供する。【解決手段】タモ竿と懐中電灯を連結する為に、端面が矩形の柱状体で長手方向の対向する２面とその間の１面も加えた３面にＶ溝を持った固定具１を介し、この溝にタモ竿及びこれを挟む位置の溝に懐中電灯を各々押し当て、ゴムベルト２でこれらの外側全体を周回させ締め付け、ベルト止めネジ７に穴６を掛ける方法他で固定する治具。【選択図】図２
0003118489.tif 000002
【実用新案登録請求の範囲】
【請求項１】
柱状体で、長手方向の対向する位置に二つの条溝を有し、条溝の中間の位置に伸縮可能なベルトが複数本、前記柱状体の外周縁部を包囲するように着脱可能に取り付けられたことを特徴とするタモ網照明取り付け治具。
【請求項２】
請求項１記載のタモ網照明取り付け治具において、前記条溝が前記柱状体の長手方向に三つの条溝を設けたことを特徴とするタモ網照明取り付け治具。
【考案の詳細な説明】
【技術分野】
【０００１】
本考案はタモ網に照明具を取り付ける治具に関するものである。
【背景技術】
【０００２】
夜釣りの際、釣れた魚をタモ網で掬う時、
従来方法１：釣れた魚をヘッドランプで照らしてタモ網で掬う。
従来方法２：タモ網の竿の先端部に小型懐中電灯をテープ等で巻いて取り付け、照明を
して魚を掬う。
従来方法３：専用の照明器具を竿の先端に組み込めるようにしたタモ網用照明器具、特開２００２−１８６３９８号公報『捕獲用網』がある。
【特許文献１】特開２００２−１８６３９８号公報
【考案の開示】
【考案が解決しようとする課題】
【０００３】
従来方法１ではヘッドランプの光が十分魚の位置まで届かず、従って暗く、魚を掬うのが難しかった。
従来方法２ではタモ網の竿と懐中電灯の固定が不安定で、且つ取り付けが面倒であった。
従来方法３：上記特開文献のような方法だと、専用の照明器具となり照度が固定され、又取り付け位置も先端に決まることから照明のエリアも固定され、尚且つ専用照明器具は高価であった。
本考案は、上記のような不具合を解決すべく、すなわち照明装置は手持ち品や市販の安価な懐中電灯で、照度の変更も可能とし、簡単確実にタモ網の竿部のどの位置にもに固定でき、照明エリアを変更できるようにしようとするものである。
【課題を解決するための手段】
【０００４】
本考案のタモ網照明取り付け治具は、上記課題を解決すべく考案した物であり、懐中電灯をタモ竿の任意の位置に固定出来るように、これらの間に、柱状体で長手方向の対向する位置に二つの条溝を設け、この溝に夫々懐中電灯とタモ竿を押し当てこれら全体を複数本の伸縮可能なベルトを周回させ着脱可能に締め付け固定する。なお、照度を更に上げるためには、柱状体に設ける条溝を三つ設け懐中電灯を2本取り付けできるようにする。
【考案の効果】
【０００５】
本考案の取り付け治具では、二つないしは三つの条溝に懐中電灯とタモ竿を挟み伸縮可能なベルトでこれらの外側を周回させ締め付け固定する方法であるため、特に条溝をV溝とすれば懐中電灯と竿のいろんなサイズの大きさに対応でき、伸縮可能ベルトにより固定も簡単確実であり、竿のどの位置にも取り付け可能である。又、竿の手元側に寄せて取り付けることにより、照明エリアを広げることもでき、上記の課題を全て解決できる。
【考案を実施するための最良の形態】
【０００６】
次に、本考案の実施の形態を実施例となる図面を参照しながら説明する。
本考案の図１では端面が矩形の柱状体１（以下固定具１と略記する）の第１面Aは90度のV溝条溝、第２面は平面、第３面Bは90度のV溝条溝、第４面は複数のゴムベルト２の片端をスナップファスナーのオス４と共にスナップファスナー固定ネジ３で留めた面とし、伸縮可能なゴムベルト２の他端にはスナップファスナーのメス５を取り付けている。
懐中電灯を第1面のAに、タモ竿を第３面のBに押し当て、第４面のゴムベルト２の他端を第１面→第２面→第３面→第４面と順次周回させ締め付け、先端に取り付けたスナップファスナーのメス５でオス４と勘合し着脱可能に固定する。
図２では、固定具１の第1面Aと第2面Cと第3面Bは90度のV溝条溝、第4面はゴムベルト２を留めるベルト留めナベネジ７を立て、両端及び適宜数箇所に穴を開けた２本のゴムベルト２の片端の穴をベルト留めナベネジ７に通して取り付けている。
使用時は、懐中電灯を第1面のAと第3面のB夫々に、タモ竿を第2面のCに押し当て、第4面のゴムベルト２の他端を、図１の説明と同様第１面→第２面→第３面→第４面と順次周回させ締め付け他端の穴をベルト留めナベネジ７に掛けて着脱可能に固定する。
【０００７】
図では、柱状体は端面を矩形の形で表わしているが、円柱や多角柱も含む。
条溝は90度のV溝A,B,Cとしたが本考案の範囲では条溝形状はU溝や円弧溝、90度以外のV溝、凹溝も含む。
この固定具の材質は木材やプラスチック類、ゴム、金属等とする。
伸縮可能なベルトとしては、ゴムベルト２のみでなくゴムテープ他の伸縮ベルトやバンドとする。
伸縮ベルトを着脱可能とする構成としては、スナップファスナーやベルトの穴で留めたり、マジックテープ（登録商標）や金属リングを掛けたり、紐で結ぶ等の構成を含むものとする。
【実施例１】
【０００８】
図１及び２に示した実施例は代表的な構成のみを示したものであり、本考案の範囲では、
固定具１は、使用する懐中電灯の大きさでも異なるが、大凡端面寸法が１辺２０〜６０ｍｍ、長さ５０〜２００ｍｍの範囲にあれば良い。
【実施例２】
【０００９】
本考案の照明取り付け治具は代表例として懐中電灯とタモ竿の固定治具として表わしているが次ぎのような用途にも応用できる。
竿の先端に照明器具を取り付け、離れた暗がりを確認、調査する。
竿の先端に掃除用具を取り付けて、離れた場所を清掃する。
竿の先端に消毒器具のホース先端を取り付けて、高い樹木の消毒を行う。
【図面の簡単な説明】
【００１０】
【図１】本考案で照明を1個取り付けの実施例となる治具の斜視図である。
【００１１】
【図２】本考案で照明を2個取り付けの実施例となる治具の斜視図である。
【００１２】
【図３】本考案の実施例となる治具を用いたタモ網照明使用例を示す。
【符号の説明】
【００１３】
A   固定具１の第1面に作ったV溝
B   固定具１の第３面に作ったV溝
C   固定具１の第２面に作ったV溝
１  固定具
２  ゴムベルト
３  スナップファスナー固定ネジ
４  スナップファスナーオス
５  スナップファスナーメス
６  ベルト留め穴
７  ベルト留めナベネジ
８  タモ竿（円筒形状）
９  タモ網
１０  懐中電灯（円筒形状）
【図１】
0003118489.tif 000003
【図２】
0003118489.tif 000004
【図３】
0003118489.tif 000005
(57)【要約】      （修正有）【課題】茶葉をポットに入れこれに熱湯を注入する英国の伝統的なティー作法を遵守する喫茶法において、使用者がポット内部を見た時に湯量を正確に視認したり、ストレーナ内部の茶葉量を確実に視認することができる構造のポットを提供する。【解決手段】器体１内部における注ぎ口開口部３の上側部に突片４を水平に突設し、器体の開口５周縁部にストレーナ７の鍔部８を載置する段部６を設け、また前記ストレーナは中央部に補強帯９を周設して成るものである。【選択図】図１
0003118421.tif 000002
【実用新案登録請求の範囲】
【請求項１】
器体内部における注ぎ口開口部の適所に突片を水平に突設して成ることを特徴とするティーポット。
【請求項２】
器体内部における注ぎ口開口部の上側部に突片を水平に突設し、器体の開口周縁部にストレーナの鍔部を載置する段部を設けて成ることを特徴とするティーポット。
【請求項３】
ストレーナは中央部に補強帯を周設して成る請求項２に記載したティーポット。
【考案の詳細な説明】
【技術分野】
【０００１】
本考案は、ティーポットに関するものである。
【背景技術】
【０００２】
従来、茶葉をポットに入れこれに熱湯を注入する英国の伝統的なティー作法を遵守する喫茶法において、使用者にとってはティーポットの使い易さの面では旧態依然たる構造のものであることから、ティーバッグの方に手が出てこれが普及するに至っている。
【０００３】
本考案者は、ティールームを各地で開設してこの道のプロとして好評を博しているところ、本格的な紅茶の作法を遵守した喫茶の道を誰もがたしなむためには、ティーポットの改良が不可欠であることに思い至った。
【０００４】
そこで、わが国においては、目盛付きの急須として次に挙げるようなものは存するが、ティーポットについて改良したものは存していなかった。
【０００５】
【特許文献１】実開平６−４４４７７号公報
【特許文献２】登録実用新案第３０４９６８９号公報
【考案の開示】
【考案が解決しようとする課題】
【０００６】
そこで、本考案にあっては、使用者がポット内部を見た時に湯量を正確に視認したり、ストレーナ内部の茶葉量を確実に視認することができる構造のポットを提供することを目的とするものである。
【課題を解決するための手段】
【０００７】
本考案は、器体内部における注ぎ口開口部の上側部に突片を水平に突設し、器体の開口周縁部にストレーナの鍔部を載置する段部を設けて成るものである。
【０００８】
前記ストレーナは、中央部に補強帯を周設して成るものである。
【考案の効果】
【０００９】
本ティーポットを使用するときは、適量の茶葉をストレーナに収容し、その周縁鍔部を器体の開口周縁部の段部に載置した後に熱湯を注ぐが、この注ぎ量を、注ぎ口の内開口部に水平に突設した突片を見ながら行うものであるから、適量の熱湯を正確に器体内に注入することができる。
【００１０】
また、ストレーナの中央部には補強帯を設けているから、その位置を見ながらでも、熱湯を正確に注入することができる。
【００１１】
本考案の構成から成るティーポットを使用することにより、何人でも本格的なティー作法に合った好みの喫茶を楽しむことができるようになるから、その効果は大きい。
【考案を実施するための最良の形態】
【００１２】
卓上で使用するティーポットの容量は通常２人分（２カップ分）の湯量を収容する大きさに成るものであるから、ストレーナに収容する茶葉量も２人分に合わせている。
【００１３】
そこで、本考案のティーポットを使用する者は、適量の茶葉を収容したストレーナの周縁鍔部を器体の開口周縁部の段部に載置し、しかる後に熱湯を器体内部に注ぐ。
【００１４】
この際、人は、熱湯の注ぎ分量を、器体内部の注ぎ口の内開口部に水平に突設した突片を視認しながら注入するようにする。
【００１５】
前記突片の位置は１人分の湯量高さであるから、それを人は視認によって確認し、次にはストレーナの上端部近くまで湯量を注入することによって２人分の湯量高さを視認することができる。
【００１６】
前記突片の位置は、ストレーナーの中央部に周設した補強帯と同位置であるから、この補強帯を視認しながら注湯することができる。
【実施例】
【００１７】
１はステンレス鋼製などによる金属製の器体であり、その形状は任意である。
【００１８】
２は任意形状の注ぎ口部で、この注ぎ口部の内開口部３の上側部には水平に突片４を突設する。
【００１９】
５は前記器体１の上口部で、この上口部の周縁部には段部６を設ける。
【００２０】
７は円筒形状に成るストレーナで、このストレーナの上周縁部に設けた鍔部８は前記器体上口部５の段部６に載置するようになる。
【００２１】
９は前記ストレーナ７の中央部に周設した補強帯であるが、この位置は前記器体１の注ぎ口部の内開口部に設けた突片４と同位置となり、茶葉および湯量を視認できる目印しともなる。
【図面の簡単な説明】
【００２２】
【図１】全体の側断面図
【図２】内部の正断面図
【図３】要部の斜視図
【符号の説明】
【００２３】
１                    器体
２                    注ぎ口部
３                    内開口部
４                    突片
５                    上口部
６                    段部
７                    ストレーナ
８                    鍔部
９                    補強帯
【図１】
0003118421.tif 000003
【図２】
0003118421.tif 000004
【図３】
0003118421.tif 000005
(57)【要約】【課題】移動可能な設備機器に取り付けて使用する、簡便なステップの提供。【解決手段】移動可能な設備機器に取り付けて使用するステップであって、取り付け部とステップ部が折りたたみ可能に連結してあり、ステップ部の表部及び／又は裏部に弾性体突起を付したことを特徴とする、折りたたみ式ステップ。移送タンクの台座等に簡便に取り付けることが可能であり、不使用時にはコンパクトに折りたたまれており、簡便な操作で使用可能となり、使用時には十分な足場が確保されており、タンク等に接触して損傷を与えることがない。【選択図】図５
0003118412.tif 000002
【実用新案登録請求の範囲】
【請求項１】
移動可能な設備機器に取り付けて使用するステップであって、取り付け部とステップ部が折りたたみ可能に連結してあり、ステップ部の表部及び／又は裏部に弾性体突起を付したことを特徴とする、折りたたみ式ステップ。
【請求項２】
連結部がバネにより構成されており、不使用時には折りたたまれた状態で維持されていることを特徴とする、請求項１記載の折りたたみ式ステップ。
【考案の詳細な説明】
【技術分野】
【０００１】
本考案は、折りたたみ式ステップに関するものである。
【背景技術】
【０００２】
香料などの多品種少量製品の製造においては、各バッチごとに配合タンクにおいて調合され、製造されるが、製品は専用ラインではなく移動式タンクなどで移送されることがある。また、香料は前記のごとく多品種少量製品であり、その製造量も多種多様である。したがって、移送用タンクの容量も様々なものが用いられる。一方、該移送用タンクの多くは上部が蓋に覆われた開放部を有し、該開放部より製品の目視確認やサンプリングが行われることがある。この場合、移送タンクの容量(高さ)によっては作業性に問題が生じ、踏み台を要することもあった。移送タンクに合わせて踏み台を移動することは作業上きわめて煩雑であり、移送タンク自体にステップを取り付けることも行われていたが、移送タンクの専有面積を広げるほか、他の施設との接触が問題となることがあった。
【０００３】
折りたたみ可能なステップとしては、例えば、ステップ本体を水平な足を掛けることが可能な展開位置と、ステップ本体が収納される格納位置とに揺動可能に設けた折り畳み式ステップにおいて、ステップ本体の一端部と第１リンクの一端部を相対的に回動可能に連結し、ステップ本体の中間部分に第２リンクの一端部を相対的に回動可能に連結し、ステップ本体と対向する取付ブラケットに第１リンクの他端と第２リンクの他端を距離をおいて夫々相対的に回動可能に連結してリンク機構を構成し、ステップ本体を水平な展開位置としたとき、第２リンクの下面に第１リンクの一端を当接してステップ本体の展開方向への移動を規制する展開ストッパとし、ステップ本体を略垂直状態の格納位置としたときステップ本体の格納方向への移動を規制する格納ストッパを備えていることを特徴とする折り畳み式ステップなどが提案されている（特許文献１）が、複雑な構造を有するという問題を有していた。
【特許文献１】特開２００３−２５１５７８号
【考案の開示】
【考案が解決しようとする課題】
【０００４】
解決しようとする問題点は、移動可能な設備機器に取り付けて使用する、簡便なステップが無いという点である。
【課題を解決するための手段】
【０００５】
かかる目的を達成するための考案は、（１）移動可能な設備機器に取り付けて使用するステップであって、取り付け部とステップ部が折りたたみ可能に連結してあり、ステップ部の表部及び／又は裏部に弾性体突起を付したことを特徴とする、折りたたみ式ステップであり、（２）連結部がバネにより構成されており、不使用時には折りたたまれた状態で維持されていることを特徴とする、（１）の折りたたみ式ステップである。
【考案の効果】
【０００６】
本考案を採用することにより、移送タンクの台座等に簡便に取り付けることが可能であり、不使用時にはコンパクトに折りたたまれており、簡便な操作で使用可能となり、使用時には十分な足場が確保されており、タンク等に接触して損傷を与えることのない、有用で簡便なステップをもたらすことができる。
【考案を実施するための最良の形態】
【０００７】
以下、本考案の構成を図１〜６に示す実施の形態に即して説明する。
図１は、本考案の折りたたみ式ステップを展開したときの平面図である。取り付け部１とステップ部２は連結部３を介して結合されており、通常は連結部３にバネ４等の弾性体を配することにより、折りたたみ状態に維持される。図１の場合はステップ部の表部に弾性体５が付されている。弾性体５にはバネ、ゴム、合成樹脂等が用いられるが、ゴム又は合成樹脂を用いることが好ましい。
【０００８】
図２は、本考案の設置時の側面図を示す。取り付け部１は台座７に固定されており、取り付け部１と連結部３により結合されたステップ部２はバネ４により、タンク壁８に向かって折りたたまれる。ただし、弾性体突起５の抵抗により取り付け部１とステップ部２は鋭角的に保たれており、ステップ部２とタンク壁８とが接触することはない
【０００９】
図３は、本考案の別の態様を示す側面図である。取り付け部１とステップ部２は連結部３を介して結合されているが、連結部３にバネ４を図１と逆向きに配することにより、逆向きの折りたたみ状態に維持される。図３の場合もステップ部の表部に弾性体５が付されているが、これはタンク等との接触を緩和する役目を果たす。図３においてはステップ部の裏部にも弾性体突起６が付されているが、これはステップとして使用するときにバネ４を保護する役目を果たしている。
【００１０】
図４は、図３の使用時の態様を示す側面図である。
【００１１】
図５は、図３の本考案を移送タンク７の台座に設置した状態を示す。
【００１２】
図６は、図４本考案を実施しているときの状態を示す。
【産業上の利用可能性】
【００１３】
移動可能な設備機器に取り付けて使用する、簡便なステップ、非常に有用である。
【図面の簡単な説明】
【００１４】
【図１】本考案の折りたたみ式ステップを展開したときの平面図である。
【図２】本考案の折りたたみ式ステップを使用したときの側面図である。
【図３】本考案の折りたたみ式ステップの別の態様の平面図である。
【図４】図３の折りたたみ式ステップを使用したときの側面図である。
【図５】本考案の折りたたみ式ステップを台座に設置したときの斜視図である。
【図６】本考案の折りたたみ式ステップを実施したときの斜視図である。
【符号の説明】
【００１５】
１  取り付け部
２  ステップ部
３  連結部
４  バネ
５  弾性体
６  弾性体
７  台座
８  タンク壁
【図１】
0003118412.tif 000003
【図２】
0003118412.tif 000004
【図３】
0003118412.tif 000005
【図４】
0003118412.tif 000006
【図５】
0003118412.tif 000007
【図６】
0003118412.tif 000008
(57)【要約】      （修正有）【課題】持ち運びが容易な携帯型独立太陽光発電システムを提供する。【解決手段】本考案の携帯型独立太陽光発電システムは、可撓型太陽電池パネル１と、蓄電池、インバータ等からなる電源装置９と、電源装置９を収納する筐体２と、筐体２および可撓型太陽電池パネル１を取り付ける背負子３で構成される。電源の使用時には可撓型太陽電池パネル１を広げて太陽光発電によって発電した電力、または筐体２に内蔵の蓄電池からの電力を使用することにより、電気機器を使用することが可能である。背負子３に筐体２及び可撓型太陽電池パネル１を固定することが出来るので、システムを背負って運搬することが可能であり、また、背負子３の下部に一対の車輪４が、上部に把持部３ａが設けられている。地面が平坦な場所では、把持部３ａを握って背負子３を前方に傾斜させ傾斜方向に引っ張ることにより車輪４が回転し本システムを楽に移動させることができる。【選択図】図３
0003118465.tif 000002
【実用新案登録請求の範囲】
【請求項１】
可撓型太陽電池パネルと、蓄電池、インバータ等からなる電源装置と、前記電源装置を収納する筐体と、前記筐体を取り付ける背負子を備え、前記可撓型太陽電池パネルを前記背負子に固定できることを特徴とする携帯型独立太陽光発電システム。
【請求項２】
請求項１に記載の筐体において、蓄電池の残容量を監視できる表示灯を設けてあることを特徴とする携帯型独立太陽光発電システム。
【請求項３】
請求項１に記載の背負子において、一対の車輪と、把持部を設けてあることを特徴とする携帯型独立太陽光発電システム。
【考案の詳細な説明】
【技術分野】
【０００１】
この考案は、電力供給源の無い場所で使用でき、簡単に持ち運びできる携帯型独立太陽光発電システムに関する。
【背景技術】
【０００２】
従来、災害時の非常用電源やキャンプなどの野外活動など商用電源の使用できない場所では、蓄電池を装備した可搬型の太陽光発電システムが考案されている。
【特許文献１】特開２００５−１２９８００
【特許文献２】特開２００５−５６８０１
【考案の開示】
【考案が解決しようとする課題】
【０００３】
しかし、従来の発電システムは可搬可能ではあるが、重量が大きいため人力で災害地や山間部に運搬することは難しく、使用者に負担を強いるものである。
【課題を解決するための手段】
【０００４】
本考案の請求項１に係る携帯型独立太陽光発電システムは、可撓型太陽電池パネル１と、蓄電池、インバータ等からなる電源装置９と、前記電源装置を収納する筐体２と、前記筐体２を取り付ける背負子３を備え、前記可撓型太陽電池パネル１を前記背負子３に固定できることを特徴とし、背負って移動、作業が可能である。
【０００５】
本考案の請求項２に係る携帯型独立太陽光発電システムは、電気機器を内蔵した筐体３において、蓄電池の残容量を監視できる残容量表示灯７を設けることにより、安価に蓄電池の残容量を確認することができる。
【０００６】
本考案の請求項３に係る携帯型独立太陽光発電システムは、背負子３において、一対の車輪４と、把持部３ａを設けてある。
【考案の効果】
【０００７】
本考案に係る携帯型独立太陽光発電システムによれば、電源の使用時には可撓型太陽電池パネル１を広げて太陽光発電によって発電した電力、または筐体２に内蔵の蓄電池からの電力を使用することにより、商用電源を使用することなく電気機器を使用することが可能である。また、背負子３に筐体２及び可撓型太陽電池パネル１を固定することが出来るので、システムを背負って運搬することが可能である。
【０００８】
本考案に係る携帯型独立太陽光発電システムによれば、電気機器を内蔵した筐体２に蓄電池の残容量を監視できる残容量表示灯７を設けてあるので、蓄電池の使用時には残容量が、発電時には充電容量が確認できる。
【０００９】
本考案に係る携帯型独立太陽光発電システムによれば、筐体２、可撓型太陽電池パネル１を固定した背負子３に一対の車輪４と把持部３ａが取り付けてあるので、平坦な移動場所では引っ張ってシステムを運搬することが可能である。
【考案を実施するための最良の形態】
【００１０】
次に、本考案の携帯型独立太陽光発電システムの実施の一形態について説明する。
【実施例】
【００１１】
図１、図２、図３は、この考案の実施の一形態を示す構成図である。
この携帯型独立太陽光発電システムは可撓型太陽電池パネル１と、蓄電池、インバータ等からなる電源装置９と、電源装置９を収納する筐体２と、筐体２および可撓型太陽電池パネル１を取り付ける背負子３で構成される。システムの運搬時には可撓型太陽電池パネル１を巻き取り、電源装置９を収納する筐体２と背負子３にバンド５で固定されている。バンド５はゴムや布製のもの、紐などでも構わない。
全機器が背負子３に固定されるので本システムを運搬する場合や使用する場合に背負って移動、作業が可能である。
【００１２】
図１には交流１００Ｖ用の電源コンセント６が示してある。蓄電池からの直流電流をインバータを介して交流１００Ｖに変換し、パソコンや無線機器などの電子機器や、照明を点灯するために使用できる。
【００１３】
図２には蓄電池の残量表示用の残容量表示灯７が示してある。図に示す３灯の場合、満充電、中間容量、要充電の状態を表示するためのものである。残容量表示灯７は通常の電球型のものでもよいが、好ましくはLEDを使用するほうが好ましい。また、表示ランプの個数は３つに限ったものではない。
【００１４】
また、図２には可撓型太陽電池パネル１からの接続コード（図示せず）を接続するための接続ジャック８が示してある。可撓型太陽電池パネル１を使用する場合には図４に示すように可撓型太陽電池パネル１を広げ、可撓型太陽電池パネル１に接続されてあるコードを接続ジャックに接続し、太陽光の当たる場所に可撓型太陽電池パネル１を設置することにより発電が可能である。
【００１５】
可撓型太陽電池パネル１を設置する場所は平坦な場所でなくても構わず、例えばテントの屋根部の上に傾斜して設置しても、建物の壁に吊り下げて使用しても発電は可能である。
【００１６】
背負子３の下部に一対の車輪４が、丈夫に把持部３ａが設けられている。地面が平坦な場所では、把持部３ａを握って背負子３を前方に傾斜させ傾斜方向に引っ張ることにより車輪４が回転し本システムを楽に移動させることができる。
【図面の簡単な説明】
【００１７】
【図１】本考案の実施の形態を示す携帯型独立太陽光発電システムの左側面図である。
【図２】本考案の実施の形態を示す携帯型独立太陽光発電システムの右側面図である。
【図３】本考案の実施の形態を示す携帯型独立太陽光発電システムの正面透視図である。
【図４】本考案の実施の形態を示す太陽電池を使用時の外観図である。
【符号の説明】
【００１８】
１  可撓型太陽電池パネル
２  筐体
３  背負子
３ａ  把持部
４  車輪
５  バンド
６  電源コンセント
７  残容量表示灯
８  接続ジャック
９  電源装置
【図１】
0003118465.tif 000003
【図２】
0003118465.tif 000004
【図３】
0003118465.tif 000005
【図４】
0003118465.tif 000006
(57)【要約】      （修正有）【課題】合成樹脂射出製形機等の工作機械に取り付ける電気回路ユニットに配される雌型ボルトの穴がどのような方向に向いて取り付けられても、その雌型ボルトの穴を容易に探知し、螺着を容易にすることができる雌型ボルトを提供する。  【解決手段】合成樹脂射出製形機等の工作機械に取り付ける電気回路ユニットに配される雌型ボルトの穴に螺着する雄型ボルトにおいて、ネジの先端に雌型ボルト探知突起を設けた構成にした。  【選択図】図１
0003118466.tif 000002
【実用新案登録請求の範囲】
【請求項１】
本考案は、合成樹脂射出製形機等の工作機械に取り付ける電気回路ユニットに配される雌型ボルトの穴に螺着する雄型ボルトにおいて、該ネジの先端に雌型ボルト探知突起を設けた構成にしたことを特徴とする雄型ボルト。
【考案の詳細な説明】
【技術分野】
【０００１】
本考案は、合成樹脂射出製形機等の工作機械に取り付ける電気回路ユニットに配置された雌型ボルトの穴に螺着する雄型ボルトについて、雌型ボルトの穴を探知しやすくし、雌型ボルトに螺着しやすくするように工夫された雄型ボルトに関する。
【背景技術】
【０００２】
合成樹脂射出製形機等の工作機械に取り付ける電気回路ユニットは、必ずしも電気回路ユニットの面に配置した雌型ボルトの穴が雄型ボルトを螺着する作業者の作業しやすい方向に向かって取り付けるとは限らず、前記した穴が作業者の作業のしにくい方向に向かって取り付けることになることが往々にして生じることがある。この場合には従来の雄型ボルト３の先端は図２に示すように螺旋が先端までそのまま形成された構成になっていたので前記合成樹脂射出整形機等の工作機械（図示しない）に取り付ける電気回路ユニット１の面に配置された雌型ボルトの穴２に前記この雄型ボルト３を螺着するとき、前記雄型ボルト３の先端を前記電気回路ユニット１の前記雌型ボルト穴２を設けた面に接触させながら移動させ、その移動過程で手探りでその穴を探し出すことにしていたが、その穴を探し出すことはなかなかできず不便を感じていた。そのために従来は、前記電気回路ユニットに配された雌型ボルトの穴に雄型ボルトを螺着するのに作業能率の低下をきたす不都合が生じた。
しかし、これまでは、その不都合を解消するための工夫を施された雄型ネジは開発されていなかった。
【考案の開示】
【考案が解決しようとする課題】
【０００３】
本考案は、合成樹脂射出製形機等の工作機械に取り付ける電気回路ユニットに配される雌型ボルトの穴がどのような方向に向いて取り付けられても、その雌型ボルトの穴を容易に探知し、螺着を容易にすることができる雌型ボルトを提供しようとするものである。
【課題を解決するための手段】
【０００４】
本考案は、合成樹脂射出製形機等の工作機械に取り付ける電気回路ユニットに配される雌型ボルトの穴に螺着する雄型ボルトにおいて、該ネジの先端に雌型ボルト探知突起を設けた構成にした。
【考案の効果】
【０００５】
本考案に係る雄型ボルトは、前記のように構成されているので、合成樹脂射出製形機等の工作機械に取り付ける電気回路ユニットに配される雌型ボルトの穴がどのような方向に向いて取り付けられても、その雌型ボルトの穴を容易に探知し、螺着を容易にすることができる。
【実施例１】
【０００６】
本考案の雄型ボルト１１は、図１に示すように雄型ボルト１１を螺着する合成樹脂射出製形機等の工作機械（図示しない）に取り付ける電気回路ユニット２１の面に配される雌型ボルトの穴２２がどのような方向に向いて取り付けられても、その雌型ボルトの穴２２を容易に探知し、螺着を容易にすることができるように前記電気回路ユニットに配される雌型ボルトの穴２２を探知しやすい突起１２を雄型ボルト先端に設けた構成としたものである。
【０００７】
本考案の雄型ボルト１１の先端に設ける突起は、図３のＡに示すように先端を円錐状に尖らせた構造とするとは限らず、図３のＢに示すように段付突起としても、図３のＣに示すように小径突面としても形成してよいことはもちろんである。
【０００８】
従って、合成樹脂射出製形機等の工作機械に取り付ける電気回路ユニットに設けた雌ネジ穴が、雄型ネジを螺着しようとする作業者の目視しずらい方向に向けて取り付けられた場合に、雄型ボルトを螺着するとき、本考案にかかる前記雄型ボルトの先端を前記電気回路ユニットの前記穴を設け面に接触して移動させながら手探りで前記穴を探し出すことになるが、その穴の探し出しは前記した突起が容易にその穴に刺さり、前記穴を容易に探し出すことができ、そのため、従来のように前記穴の探索に不便を感じ、そのために雄型ボルトを螺着する作業能率の低下をきたす不都合が生じるようなことを阻止、作業能率の向上に寄与することが出来る。  
【図面の簡単な説明】
【０００９】
【図１】合成樹脂射出整形機等の工作機械に取り付ける電気回路にされた雌型ボルトの穴に螺着する本考案にかかるボルトの態様を示す斜視図。
【図２】合成樹脂射出整形機等の工作機械に取り付ける電気回路にされた雌型ボルトの穴に螺着する従来のボルトの斜視図。
【符号の説明】
【００１０】
１      電気回路ユニット
２      雌型ボルトの穴
３      雄型ボルト
１１    雄型ボルト
１２    突起
２１    電気回路ユニット
２２    雌型ボルトの穴
【図１】
0003118466.tif 000003
【図２】
0003118466.tif 000004
【手続補正書】
【提出日】平成17年11月25日(2005.11.25)
【手続補正１】
【補正対象書類名】明細書
【補正対象項目名】０００７
【補正方法】変更
【補正の内容】
【０００７】
本考案の雄型ボルト１１の先端に設ける突起は、図１のＡに示すように先端を円錐状に尖らせた構造とするとは限らず、図１のＢに示すように段付突起としても、図１のＣに示すように小径突面としても形成してよいことはもちろんである。
(57)【要約】      （修正有）【課題】従来のハンダリール台は横型・縦型等、そのハンダリールの設置形状を問わずハンダ繰り出しそのものだけが目的である為に、ハンダ付け時に使用する小工具や部品等が作業台上に散らばったり、又、作業台から落下したりして、その為に紛失すると云う問題が多々有った。本発明はそういう問題を解決する事。【解決手段】ハンダリール台下部に部品収納部を設ける事により、小さな紛失しやすい小工具や部品等をその中に収納しておく。【選択図】図２
0003118461.tif 000002
【実用新案登録請求の範囲】
【請求項１】
収納部付のハンダリール台
【考案の詳細な説明】
【技術分野】
【０００１】
本考案は、ハンダリール台の台の部分に部品を収納可能なスペースを設けたハンダリール台に関するものである。
【背景技術】
【０００２】
従来のハンダリール台はハンダ使用時にハンダ付けする部品等が作業台上にちらばっていたが、本考案はそれを解決するハンダリール台に関するものである。
【特許文献１】登録実用新案第３０４７９３８号
【考案の開示】
【考案が解決しようとする課題】
【０００３】
従来のハンダリール台はハンダ使用時にハンダ付けする部品等が作業台上にちらばっていたが、本考案はそれを解決する事を課題とする。
【課題を解決するための手段】
【０００４】
ハンダリール台の台の部分に部品収納可能なスペースを設ける事で現状の課題を解決する。
【考案の効果】
【０００５】
ハンダリール台の下部に収納スペースを設置する事により、ハンダ付けするための部品等を収納整理出来るようになる。
【実施例１】
【０００６】
図１は本発明の収納部付きハンダリール台の全体図であり、図２は収納部付きハンダリール台下部の部品収納部に部品を収納し、使用中の状態を示す説明図である。
【図面の簡単な説明】
【０００７】
【図１】収納部付きハンダリール台の全体図。
【図２】収納部付きハンダリール台の使用例を示す説明図。
【符号の説明】
【０００８】
１    ハンダリール保持部
２    支柱
３    収納部
【図１】
0003118461.tif 000003
【図２】
0003118461.tif 000004
(57)【要約】      （修正有）【課題】地絡継電器等の試験に於いて、活線状態で、試験装置のリード線の先端のクリップにより地絡継電器制御部の端子台の圧着端子を確実に挟み、電気的な接続状態を確保し、しかも、試験装置のリード線に張力が掛かってもクリップが外れない様にする。【解決手段】丸型圧着端子1-aの上部に舌4（突起）を形成して試験装置14のリード線15を接続する時は、蓑虫クリップ9で舌4を挟む様にして確実な安定した電気的接続を確保できる。丸型圧着端子1-aはビスを抜き取らないと、圧着端子を外せないが信頼度の高い接続を確保できる。【選択図】図１
0003118462.tif 000002
【実用新案登録請求の範囲】
【請求項１】
電線を接続する圧着部と端子ビスとの狭持部を前記圧着部の
一端より延設した圧着端子に於いて、前記狭持部を略円環状に
形成し、該狭持部の周辺の一部に突起を形成した事を特徴とする
圧着端子。
【請求項２】
電線を接続する圧着部と端子ビスとの狭持部を前記圧着部の
一端より延設した圧着端子に於いて、前記狭持部を略Ｙ字状に
切欠き形成し、該狭持部の周辺の一部に突起を形成した事を
特徴とする圧着端子。
【考案の詳細な説明】
【技術分野】
【０００１】
電気設備の現地試験、保守点検、予防保全の技術分野に適用される。
【背景技術】
【０００２】
高圧受電設備の健全状態を判断し、波及事故を予防する為に定期的に
地絡継電器付高圧気中開閉器等の試験をする事が電気事業法で義務付
けられている。
関連の既出願としては、
【特許文献１】特開平８−４５５８８号公報
【特許文献２】特願２００５−１４７４３３号公報。    がある。
【０００３】
地絡継電器付高圧気中開閉器の試験は、現地では試験用電源の用意
ができずに活線状態で行われる場合が多い。
即ち、停電をすれば試験用電源が喪失し試験ができない。
別途に、可般式発電機を準備すれば良いが、重量物の輸送、燃料の
管理、電源ケーブルの準備等に手間とコストが掛かる。
【０００４】
地絡継電器付高圧気中開閉器の試験は、具体的には、地絡保護の
機能以外に、短絡事故時の開放ロック機能や地絡継電器単体の試験も
必要であり、図−５に示す様に、電柱の地上1.5m程度の高さに取付けら
れた地絡継電器制御部13の端子台に試験装置14を接続して行われる。
【０００５】
試験は、限られた短時間に完了する必要があり、ミスは許されない。
端子台は、太さ約4mmのビスを約10mmピッチで配置した構造で、極めて
狭く、しかもメーカーにより構造が異り、端子台が上下2段になるものも
あり、地絡継電器制御部13の端子と試験装置14のリード線間の接続に
問題があった。
【０００６】
端子台から出るリード線15の間隔が狭いので、リード線間の短絡事故を
防ぐ為に、試験装置14側のリード線15先端は小型の蓑虫クリップが
使用されている。
図−６に示す様に、小型の蓑虫クリップ9では、クリップ9の先端の開きが
大きく出来ないのと、丸頭のビス6には引っ掛かりがない為に、クリップ9が
簡単に外れた。
蓑虫クリップ9はクリップ9の殆どが絶縁性のビニールカバー等で覆われ
リード線間の短絡事故を防止する為には極めて有効であるが、僅かの
張力が掛かると外れやすく、安定した確実な試験ができないと言う問題点
があった。
図-3,4に示す様に、圧着端子1-a、1-bの圧着部3も短絡事故防止の
為に、絶縁キャップ10で覆われており、クリップ9で挟める部分がなかった。
【考案の開示】
【考案が解決しようとする課題】
【０００７】
地絡継電器等の試験に於いて、活線状態で、試験装置14のリード線15の
先端のクリップ9により地絡継電器制御部13の端子台の圧着端子1を確実
に挟み、電気的な接続状態を確保し、しかも、試験装置14のリード線に張力が
掛かってもクリップ9が外れない様にする。
【０００８】
市販の安い蓑虫クリップ9が使用できる様にする。
【課題を解決するための手段】
【０００９】
図−１に示す様に、丸型圧着端子1-aの上部に舌4（突起）を形成して
試験装置14のリード線15を接続する時は、蓑虫クリップ9で舌4を挟む
様にして確実な安定した電気的接続を確保できる。
丸型圧着端子1-aはビスを抜き取らないと、圧着端子を外せないが
信頼度の高い接続を確保できる。
【００１０】
図−２に示す様に、Ｙ型圧着端子1-bの上両側部に舌4（突起）を形成して
試験装置14のリード線15を接続する時は、蓑虫クリップ9で舌4を挟む様に
して確実な安定した電気的接続を確保できる。
しかも、ビス6を緩めるだけで、Ｙ型圧着端子1-bを下に引けば、容易に
接続を外せて、着脱が容易であるＹ型端子の一般的な特長を生かせる。
【００１１】
端子座7やビス6に突起を形成する事も考えられるが、コストの上昇を
招くので除外した。
【考案の効果】
【００１２】
地絡継電器付高圧気中開閉器の現地定期試験に於いて、安定した確実な
試験ができるので素早く完了できる。しかも、圧着端子を取替えるのみで
極めて安いコストで実現できる。
【考案を実施するための最良の形態】
【００１３】
高圧気中開閉器と地絡継電器の定期点検の際に、クリップの外れによる
試験の中断、やり直しが無くなり、安心して試験ができる。
これ以外の経年劣化を監視する必要のある重要な電気設備に適用すると
有効である。
【実施例１】
【００１４】
丸型端子の場合を、図-1に示すが、舌4の形成位置は上部だけに限定する
ものではない。
【実施例２】
【００１５】
Y型端子の場合を、図-2に示すが、舌4の形成位置は上部両側に限定する
ものではない。
【図面の簡単な説明】
【００１６】
【図１】舌付圧着端子（丸形）
【図２】舌付圧着端子（Ｙ形）
【図３】舌付圧着端子使用状態（丸形）
【図４】舌付圧着端子使用状態（Ｙ形）
【図５】地絡継電器制御部試験状態
【図６】ビスとクリップの関係
【符号の説明】
【００１７】
１-a、1-b舌付圧着端子
２ビス穴
３圧着部
４舌
５角ワッシャー
６丸頭ビス
７端子座
８バリヤー
９蓑虫クリップ
１０絶縁キャップ
１１絶縁電線
１２柱上気中開閉器
１３制御部
１４継電器試験器
１５試験器用リード線
１６制御線
１７電柱
１８腕木
【図１】
0003118462.tif 000003
【図２】
0003118462.tif 000004
【図３】
0003118462.tif 000005
【図４】
0003118462.tif 000006
【図５】
0003118462.tif 000007
【図６】
0003118462.tif 000008
(57)【要約】      （修正有）【課題】草を掘り起こす動作と付着した土を振り落とす動作の２つの動作を１つの道具でするため、手を汚さないで草取り摘んで捨てることができる草取り具を実現する。【解決手段】握ることで開閉ができるＵ字形の草取り具において、支点から延長された両側に保持部を有し、その保持部延長上に内側に向いたギザギザ挟み部を設け、そのギザギザ挟み部の片方の先端に突出部を有することを特徴とする。直線刃部５は保持部長手方向に対しほぼ直角に形成し、突出部３の先端面はギザギザ挟み部上辺に対し平行に形成する。ギザギザ挟み部上辺は保持部長手方向に対し鈍角で上向きに曲がるよう形成し姿勢よく作業ができ、保持部２の断面Ａ―Ａは弓形にすることにより強度を増し、ギザギザ挟み部４の断面Ｂ−Ｂは内側にゆるやかな曲線をつけ草を挟み易くし、握り込んだ時点でギザギザ挟み部の両側がかるく接触することにより手を汚さないで草取り処理できる。【選択図】図１
0003118469.tif 000002
【実用新案登録請求の範囲】
【請求項１】
握ることで開閉できるＵ字形の草取り具において、支点から延長された両側に保持部を有し、更にその保持部延長上に内側に向いたギザギザ挟み部を設け、ギザギザ挟み部の片方の先端に突出部を有することを特徴とする草取り具。
【請求項２】
前記突出部の直線刃部５は保持部長手方向に対しほぼ直角に形成され、突出部の面はギザギザ挟み部上辺に対し平行に形成され、ギザギザ挟み部上辺は保持部長手方向に対して鈍角で上向きに曲がるようにした請求項１記載の草取り具。
【考案の詳細な説明】
【技術分野】
【０００１】
本考案は草取り具に関し、雑草を取り除く際に用いる草取り具に摘要して好適なものである。
【背景技術】
【０００２】
従来、雑草を取り除く際用いられる草取り具は、草を取るのみで摘む際手を汚し爪に土が入り手肌荒れするという問題点があった。
【０００３】
ピンセット形の草取り具は硬い土では放射状に伸びた根が切れる難点があり、又１本づつ対応する為指先に負担がかかる。
【特許文献１】登録実用新案公報第３０６３０２２号
【考案の開示】
【考案が解決しようとする課題】
【０００４】
手を汚す事なく草を取る動作と土を払い落とす動作、２つの動作を１つの道具で処理できる事を提案しようとするものである。
【課題を解決するための手段】
【０００５】
かかる課題を解決するために本考案においては、握ることで開閉できるＵ字形の草取り具において、支点から延長された両側に保持部を有し、更にその保持部の延長上に内側に向いたギザギザ挟み部を設け、そのギザギザ挟み部の片方の先端に突出部がある草取り具を実現した。突出部の直線刃部５は保持部長手方向に対しほぼ直角に形成され、握った時点で両ギザギザ挟み部がかるく接触する。
【０００６】
突出部の先端面はギザギザ挟み部上辺に対し平行に形成し、ギザギザ挟み部上辺は保持部長手方向に対して鈍角で上向きに曲がるよう形成し、保持部断面とギザギザ挟み部断面は弓形にする。
【考案の効果】
【０００７】
本考案は突出部を用いて掘り出す小さな力で何本もの雑草の根を掘り起こし、ギザギザ挟み部で草を挟み土を払い落とすため、手を汚さないで草取り摘んで処理ができる。支点は金属バネを利用し開閉を楽にし、ギザギザ挟み部は保持部長手方向に対し鈍角で上向きに曲がるように形成することにより姿勢よく作業でき、保持部断面を弓形にすることにより強度耐久性に優れ、ギザギザ挟み部断面をゆるやかな曲線にすることにより多くの草を挟むことができる。
【考案を実施するための最良の形態】
【０００８】
握ることで開閉ができるＵ字形の草取り具において、支点から延長された両側に保持部を有し、その保持部の延長上に内側に向いたギザギザ挟み部４を設け、そのギザギザ挟み部の片方の先端に突出部を有する草取り具。
【０００９】
突出部を用いて掘り出す小さな力で何本もの雑草の根を掘り起こしギザギザ挟み部４で草を挟み土を払い落とすため、手を汚さないで草取り処理できる。
【００１０】
ギザギザ挟み部は保持部長手方向に対し鈍角で上向きに曲がるよう形成することにより姿勢よく作業できる。
【００１１】
支点は金属バネを利用し開閉を楽にし、保持部断面を図３に示すように弓形にすることにより強度耐久性に優れるが直線でもよい。
【００１２】
ギザギザ挟み部断面は図４に示すようにゆるやかな曲線にすることにより草を挟みやすくし、突出部断面は図５で示すようにギザギザ挟み部上辺に対し平行に形成する。保持部は握りやすいようにクッションを付けてもよい。
【図面の簡単な説明】
【００１３】
【図１】草取り具の斜視図
【図２】草取り具の平面図
【図３】図―１に於けるＡ―Ａ断面図
【図４】図―１に於けるＢ―Ｂ断面図
【図５】図―１の於けるＣ−Ｃ断面図
【符号の説明】
【００１４】
１  支点
２  保持部
３  突出部
４  ギザギザ挟み部
５  突出部の直線刃部
【図１】
0003118469.tif 000003
【図２】
0003118469.tif 000004
【図３】
0003118469.tif 000005
【図４】
0003118469.tif 000006
【図５】
0003118469.tif 000007
(57)【要約】      （修正有）【課題】シンプルな構造で日常手軽に使用が出来、装着違和感が無く、そして顔のたるみ取り効果が顕著にあらわれる顔形補正美容バンドを提供する。【解決手段】輪形に形成された伸縮性のある布帛１の一方の端部に伸縮バンド２を設けたものであり、また前記輪形に形成された布帛１の上方に幅方向一面に亘って小穴３を設け、さらに前記布帛１が自然繊維または化学繊維の基布の片面にポリウレタン樹脂層が設けられ、この樹脂層に金属チタン粒子を分散させた布帛を用いた。【選択図】図１
0003118478.tif 000002
【実用新案登録請求の範囲】
【請求項１】
輪形に形成された伸縮性のある布帛（１）の一方の端部に伸縮バンド（２）を設けた顔面補正美容バンド。
【請求項２】
前記輪形に形成された布帛（１）の上方に幅方向一面に亘って小穴（３）を設けた請求項１記載の顔面補正美容バンド。
【請求項３】
前記布帛（１）が自然繊維または化学繊維の基布の片面にポリウレタン樹脂層が設けられ、この樹脂層に金属チタン粒子を分散させた布帛である請求項１又は２記載の顔面補正美容バンド。
【考案の詳細な説明】
【技術分野】
【０００１】
本考案は、顔面、頬部及び顎を牽引押圧し、その弛緩、不均衡、肥厚部などを補正する顔面補正美容バンドに関するものである。
【背景技術】
【０００２】
従来かかる顔面補正美容バンドとして、特許文献１のようなソフトゴムベルトを利用して顔全体を引き上げるようにしたもの、特許文献２のような顎及び頬を幅広な部材で被い頭部に掛けたバンドで引き締めるようにしたもの、また特許文献３のように筒状の伸縮性布地を頭部全体に被り、それを引き上げて顔を引き締めるようにしたもの等いろいろと提案されている。また布帛の保温性に関し特許文献４が開示されている。
【特許文献１】特開2005−74203号
【特許文献２】実用新案登録第3097413号
【特許文献３】実用新案登録第3103255号
【特許文献４】特開2000−273761号
【考案の開示】
【考案が解決しようとする課題】
【０００３】
シンプルな構造で日常手軽に使用が出来、装着違和感が無く、そして顔のたるみ取り効果が顕著にあらわれる顔形補正美容バンドを提供することを目的とする。
【課題を解決するための手段】
【０００４】
本考案の顔面補正美容バンドは、請求項１記載のように、輪形に形成された伸縮性のある布帛１の一方の端部に伸縮バンド２を設けたものであり、また請求項２記載のように、前記輪形に形成された布帛１の上方に幅方向一面に亘って小穴３を設け、さらに請求項３記載のように、前記布帛１が自然繊維または化学繊維の基布の片面にポリウレタン樹脂層が設けられ、この樹脂層に金属チタン粒子を分散させた布帛であること等を特徴としている。
【考案の効果】
【０００５】
布帛が伸縮自在な輪形バンド形状なので一端を顎に掛け、他側を引き上げて上頭部に掛け止めする単一動作のみで装着できる。また布帛は伸びきった状態で伸縮バンドの下側に押さえ込まれるので肌触りが良い。さらに上頭部の掛け止め部分に小穴をあけてあるので長時間使用しても熱が発散して快適に使用が出来る。
【０００６】
さらに布帛の片面にポリウレタン樹脂層が設けられ、この樹脂層に金属チタン粒子を埋設したものであるから装着時に滑らかで体温になじみ易く装着感が一層良い。また金属チタン粒子の遠赤外線効果で発汗を促進するなどの効果がある。
【考案を実施するための最良の形態】
【０００７】
本考案の顔形補正美容バンドは、輪形に形成された伸縮性のある布帛１の一方の端部に伸縮バンド２を設けたものであり、また前記輪形に形成された布帛１の上方に幅方向一面に亘って小穴３を設けたものである。
【実施例１】
【０００８】
本考案の好適なひとつの実施例を以下、図面に基づき説明する。本考案の顔形補正美容バンドは、図１に示すように、頭部から顎に掛けて掛け止めの出来る幅広な輪形に形成された布帛１の一方の端部に伸縮バンド2を設けたものである。また輪形の布帛１の上方には幅方向一面に亘って小穴３を設けてある。
【０００９】
前記布帛１の素材は、綿、麻、ウールなどの自然繊維、ポリエステル、ナイロン、レーヨンなどの化学繊維のいずれでも良いが、厚地ストッキングやガードル素材のように伸縮性のある織り方をしたものを使用する。さらに望ましくは特許文献４に開示されるような基布の片面に柔軟なポリウレタン樹脂層を設け、この樹脂層に金属チタン粒子を分散させた布帛を用いれば装着時に滑らかで体温になじみ易く装着感が一層良い。また金属チタン粒子の遠赤外線効果で発汗を促進する。伸縮バンド２は、衣料パンツなどに用いられるゴム芯や医療、スポーツ用サポーターに用いられる伸縮バンドと同等のものを用いてある。
【００１０】
そして使用するときは、伸縮バンド２を内側に向け折り返し、伸縮バンド２と布帛１を伸ばしながら下側を顎に掛け、頬に当てながら上方へ引き上げ、最後に小穴３が上頭部に位置付けられるようにして掛け止めする。このとき顎から頬に掛けて布帛１は伸びて皮膚に当たり、伸縮バンド２でしっかり押え込まれることになる。従って肌当たりも良く、顔の引き締め効果が倍増する。
【図面の簡単な説明】
【００１１】
【図１】本考案の顔形補正美容バンドの斜視図である。
【図２】顔面への装着状態の説明図である。
【符号の説明】
【００１２】
１  布帛
２  伸縮バンド
３  小穴
【図１】
0003118478.tif 000003
【図２】
0003118478.tif 000004